(57)【要約】
【課題】従来の展示ケースの外観を維持しつつ、必要時に展示空間内に格納式防犯カバー体を露出進入させて展示品を空間閉塞状に覆うことで、防犯機能を発揮させる。
【解決手段】展示面１０を有する展示ケース１と、直円筒体の略半割体から成る不透明なカバー体３を、展示面に沿った回転軸３０をもって展示面裏側に軸支配置すると共に、母線に沿って展示面に形成した通過スリット１２を通過して展示面上に露出させて展示面上の空間Ｂを閉塞状に被う。また、展示面を覆ったときのカバー体の内側、外側のいずれか又は両側を、空間閉塞状に覆う透明殻体を配設する。
【選択図】　　　図１
0003100366.tif 000002
【実用新案登録請求の範囲】
【請求項１】
展示面（１０）を有する展示ケース（１）と、
　殻構造の回転体を略半割にして成るカバー体（３）を、上記展示面（１０）に沿った回転軸（３０）をもって展示面（１０）裏側に軸支配置すると共に、軸回転により展示面（１０）上に露出して展示面（１０）上の空間（Ｂ）を閉塞状に被うようにしたことを特徴とする格納式防犯カバー体を備えた展示ケース。
【請求項２】
該カバー体（３）の展示面（１０）上への露出を、母線に沿って展示面（１０）に形成した通過スリット（１２）を通過して行うことを特徴とする請求項１記載の格納式防犯カバー体を備えた展示ケース。
【請求項３】
カバー体（３）を、直円筒体の略半割状としたことを特徴とする請求項１、又は２記載の格納式防犯カバー体を備えた展示ケース。
【請求項４】
展示面（１０）を覆ったときのカバー体（３）の内側、外側のいずれか又は両側を、空間閉塞状に覆う透明殻体を配設していることを特徴とする請求項１、２、又は３記載の格納式防犯カバー体を備えた展示ケース。
【請求項５】
カバー体（３）が不透明であることを特徴とする請求項１、２、３又は４記載の格納式防犯カバー体を備えた展示ケース。
【考案の詳細な説明】
【技術分野】
【０００１】
本願考案は、貴金属等の展示物を遮蔽して盗難を回避するための格納式防犯カバー体を備えた展示ケースに関する。
【背景技術】
【０００２】
　貴金属や宝飾品や骨董品などの高価値・高価格な展示物のショーケースでは、展示物の上空間をガラス板やアクリル板、等の透明殻体で閉塞状に覆って慎重な展示を行っている。
【０００３】
　しかし、通常、厳重警備の美術館や博物館などは兎も角、一般の民間のデパートや店舗の貴金属売り場などにあるショーケースにあっては、主にコストの面から、それほど厳重な防犯機能を持たせる例は少なく、せいぜい展示時間以外はショーケースを置いた部屋全体の戸締まりを厳重にすることや、又はその都度ショーケースから展示物を取り出して金庫に保管する程度のことが行われているに過ぎなかった。
【０００４】
　かかる現状のなか、ショーケース自体に防犯機能を持たせる従来の技術として、例えば、特許文献１には、展示ケース下に格納された軸回転するカバーの開閉により、展示品の露出あるいは被覆を行う陳列ケースが開示されている。しかしながら、この特許文献１では、両開きのカバーを通過させるスリットを展示ケースの両側に設ける必要があり、構造上展示ケースの強度確保が困難であった。
【０００５】
　また、非特許文献１には、展示ケース下に金庫を配置し、展示ケースを昇降させることで、展示物の展示あるいは金庫内への収納を行う昇降式ショーケースが開示されている。しかしながら、この非特許文献１は展示棚を昇降させて展示品を金庫内に出し入れするものであり、金庫同等の防犯機能を有する構造であることから大変高価であり、設備導入に見合う価値の展示物のみに採用されるものであった。
【特許文献１】特開昭６３−６５８２５、発明を実施するための最良の形態、図１および図４
【非特許文献１】品名：アーマーショーケース、販売元：総合警備保障株式会社（http://www.alsok.co.jp/）
【考案の開示】
【考案が解決しようとする課題】
【０００６】
本願考案が解決しようとする問題点は、従来の展示ケースの外観を維持しつつ、必要時に展示空間内に格納式防犯カバー体を露出進入させて展示品を空間閉塞状に覆うことで、防犯機能を発揮させる格納式防犯カバー体を備えた展示ケースを提供するものである。
【課題を解決するための手段】
【０００７】
　上記目的を達成するため本願考案に係る格納式防犯カバー体を備えた展示ケースは以下のように構成される。すなわち、第一構成では、展示面（１０）を有する展示ケース（１）と、殻構造の回転体を略半割にして成るカバー体（３）を、上記展示面（１０）に沿った回転軸（３０）をもって展示面（１０）裏側に軸支配置すると共に、軸回転により展示面（１０）上に露出して展示面（１０）上の空間（Ｂ）を閉塞状に被うようにしたことを特徴とする。
【０００８】
　第二構成では、第一構成における該カバー体（３）の展示面（１０）上への露出を、母線に沿って展示面（１０）に形成した通過スリット（１２）を通過して行うことを特徴とする。第三構成では、第一、第二構成におけるカバー体（３）を、直円筒体の略半割状としたことを特徴とする。
【０００９】
　第四構成では、第一乃至第三構成における展示面（１０）を覆ったときのカバー体（３）の内側、外側のいずれか又は両側を、空間閉塞状に覆う透明殻体を配設していることを特徴とする。第五構成では、第一乃至第四構成におけるカバー体（３）が不透明であることを特徴とする。なお、上記説明においては符号を用いて説明しているが、これにより本願考案を限定するものと解釈してはならない。
【考案の効果】
【００１０】
　以上述べたように、本願考案による展示ケースによれば、非展示時にはカバー体で展示物を外部から遮閉して、展示空間内に外部から見えない遮蔽空間を形成し、遮蔽空間から展示物を取り出すのに時間がかかるので、盗難被害を防止することができる。一方、展示時にはカバー体を展示面下に格納できるから大変便利である。
【考案を実施するための最良の形態】
【００１１】
　以下に本願考案の具体的実施形態例による格納式防犯カバー体を備えた展示ケースを図面に基づき説明するが、本願考案は実施形態例にのみ限定されるものではない。
【実施例】
【００１２】
　図１は実施例の展示ケースを示す全体外観図であり、図２は図１の断面斜視図であり、図３と図４は実施例の展示ケースを示す作動説明図である。実施例の格納式防犯カバー体を備えた展示ケース（以下、「展示ケース」と省略。）は、展示ケース１、ガラス枠２、カバー体３、とから構成している。
【００１３】
　展示ケース１は、展示物Ｄを載置する長方形状の展示面１０と、その裏面側に閉塞した空間を有する立体枠状に形成しており、この空間は後述するカバー体３の格納空間Ａとしている。格納空間Ａの長辺側の一側面には、カバー体３の取付けや物入れ等に使用するための扉や引き戸が取り付けられた開閉口１１を開設している。展示面１０の縁付近には、一方側の長辺と、その長辺から両短辺の中央付近まで連続し、かつ格納空間Ａまで貫通した略コ状の通過スリット１２を形成している。該通過スリット１２は、後述するカバー体３の母線方向の断面形に略適合し、かつ通過可能な間隙をもって構成している。
【００１４】
　さらに展示面１０の外周縁には、下方開放の矩形箱形のガラス枠２を被せて固定しており、このガラス枠２と展示面１０により区画された空間域を展示空間Ｂとしている。また展示ケース１の開閉口１１のある面側のガラス枠２には、展示面１０への展示品Ｄの出し入れのための開閉可能な出入口２０を設けている。
【００１５】
　次に、カバー体３は、内部中空で両端閉塞の回転体を略半割にした形状を成し、不透明な金属板など硬質薄板材で殻構造に形成している。また、カバー体３の両端間は、軸線を通る回転軸３０で連結し、格納空間Ａの幅および長さより小さい直径および長さをもって格納空間Ａ内に格納している。カバー体３の回転軸３０は、展示面１０の裏面側における両短辺の中間部に軸支持している。該回転軸３０には、その略中間に取り付けたギア３０ａに連繋させたモータ３１により回転駆動力を伝達している。この機構によりカバー体３は、軸回転して格納空間Ａから通過スリット１２を通って展示面１０上に露出する。
　　[実施例の作用]
【００１６】
　上記構成を採用した実施例における展示ケース１の実際の作動について説明する。展示ケース１の展示使用時には、カバー体３の全体が展示面１０の裏面側の格納空間Ａに格納された状態にして置く。そして、展示終了時、又は緊急時に、展示物Ｄを展示面１０に載置したまま遮蔽する場合は、モータ３１を起動させることによりカバー体３を軸回転させると、通過スリット１２から展示面１０の上側へ露出して、展示物Ｄの全体を覆いかつ閉塞状態にする。覆ったカバー体３は適宜の方法でロックすることにより、展示物Ｄを外部から遮蔽すると共に、盗難防止として機能する。
　　[他の実施形態の可能性]
【００１７】
　上記の実施例は、本願考案の要旨を変更しない範囲で、以下のように変更可能である。すなわち、展示ケースはカバー体を内部に収納可能な立体枠状であれば形状は限定されない。従って、例えば、展示ケースの平面視形状はカバー体が半球状であればその断面形状に合わせて円状としてもよい。また、展示面は水平面に限らず傾斜面であっても良く、またその面は平面に限らず、曲面としたり階段状の凸部を設けても良く、樋状あるいは半球状の凹部を設けることも可能である。
【００１８】
　さらに、展示空間を遮蔽するカバー体は、ガラス枠の外側、あるいは、ガラス枠の内側と外側の双方を閉塞して遮蔽するようにしてもよい。加えて、展示ケース１には複数のカバー体を配置するようにしてもよい。さらにまた、上記実施例ではカバー体の回転軸を展示面の長手方向としているが、これに限らず短手方向としてもよい。
【図面の簡単な説明】
【００１９】
【図１】実施例の展示ケースを示す全体外観図である。
【図２】図１の断面斜視図である。
【図３】実施例の展示ケースを示す作動説明図である。
【図４】実施例の展示ケースを示す作動説明図である。
【符号の説明】
【００２０】
１　展示ケース
１０　展示面
１１　開閉口
１２　通過スリット
２　ガラス枠
２０　出入口
３　カバー体
　３０　回転軸
　　３０ａ　ギア
３１　モータ
Ａ　格納空間
Ｂ　展示空間
Ｃ　遮蔽空間
Ｄ　展示物
【図１】
0003100366.tif 000003
【図２】
0003100366.tif 000004
【図３】
0003100366.tif 000005
【図４】
0003100366.tif 000006